(57)【特許請求の範囲】
【請求項１】
周壁１上端部に環状突起２を周設し、かつ頂壁３中央部を貫設させて噴出用ステム４を上方付勢状態で起立するエアゾール缶Ａと、上記環状突部２の内外周面へ緊密に嵌合させた内外周壁５、６間の上面を頂板７で閉塞した基部材Ｂと、上記噴出用ステム４上端へ嵌合させたステム嵌合筒９をヘッド頂壁中央部から垂設すると共に、ヘッド頂壁外周からヘッド外周壁１０を垂設し、かつ該ヘッド外周壁後部に開口部１１を形成して、該開口部の左右両側面に、前端部を円形溝部１３とすると共に、該円形溝部の後部を円形溝部の直径よりも小さく開口１３ａして、該開口の上下両端が斜上下後方向へテーパ状に溝幅を拡開する係合溝１２を形成したノズル付き押下げヘッドＣと、上記開口部１１内へ嵌合させた嵌合板１４の左右両面から突設した軸部１５を上記係合溝１２前端部内へ回動可能に、かつ抜出し不能に摩擦係合させると共に、嵌合板１４の後端部から係合板１６を垂設して、該係合板下端を上記頂板７の後部上面へ、上記軸部１５を中心とする嵌合板１４の後上方への回動で後方へ離脱可能に係合させたロック部材Ｄと、筒上面を頂板７で閉塞させた筒下端部を、上記基部材Ｂの外周壁６外面へ着脱自在に嵌合させると共に、頂板１７の外周部下面から垂設した内筒１８下部内面を上記係合位置の係合板１６後面へ上方へ離脱可能に係合させたキャップＥとを有し、上記ロック部材Ｄは、係合板１６下端が、頂板７の後部上面へ係合してノズル付き押下げヘッドＣの押下げを不能にする係合位置と、上記軸部１５を中心とする嵌合板１４の後上方への回動で頂板７の口部上面から後方へ離脱してノズル付き押下げヘッドＣの押下げを可能にする非係合位置とを有することを特徴とするエアゾール式噴出器。
【発明の詳細な説明】
【０００１】
【発明の属する技術分野】
本発明はエアゾール式噴出器に関する。
【０００２】
【従来の技術】
一般に使用されているエアゾール式噴出容器として、周壁上端部に環状突部を周設すると共に、頂壁中央部を貫設させて噴出用ステムを上方付勢させて起立し、該噴出用ステム上端にノズル付き押下げヘッドを嵌合させたエアゾール缶本体と、上記環状突部外面へ嵌合させた周壁上端へ付設した内向きフランジを環状突部上面へ載置し、かつその内向きフランジ内周からキャップ嵌合筒を起立する環状部材とで形成したものが知られている。
【０００３】
【発明が解決しようとする課題】
上記エアゾール式噴出容器はノズル付き押下げヘッドの押下げを不能にするロック手段を有しないため、子供の悪戯等により液体が噴出させられるおそれがあった。
【０００４】
請求項１記載のエアゾール式噴出器は、ロック部材を非係合位置へ回動させない限りノズル付き押下げヘッドの押下げができないようにして子供の悪戯等による本来の目的以外の噴出防止を図ると共に、ロック部材を材料削減可能に形成し、さらにロック部材の組付けを、軸部を係合溝内へ係合させるだけにして組立性の向上を図ると共に、ロック部材の取付けに際して他部品を不要にすることにより部品点数の低減化を図る。
【０００５】
また、キャップ嵌合時に、キャップ内筒が非係合位置のロック部材を係合位置まで回動させることにより、ロック部材のセット忘れ防止を図ろうとするものである。
【０００６】
【課題を解決するための手段】
第１の手段として、周壁１上端部に環状突部２を周設し、かつ頂壁３中央部を貫設させて噴出用ステム４を上方付勢状態で起立するエアゾール缶Ａと、
上記環状突部２の内外周面へ緊密に嵌合させた内外周壁５、６間の上面を頂板７で閉塞した基部材Ｂと、
上記噴出用ステム４上端へ嵌合させたステム嵌合筒９をヘッド頂壁中央部から垂設すると共に、ヘッド頂壁外周からヘッド外周壁１０を垂設し、かつ該ヘッド外周壁後部に開口部１１を形成して、該開口部の左右両側面に、前端部を円形溝部１３とすると共に、該円形溝部の後部を円形溝部の直径よりも小さく開口１３ａして、該開口の上下両端が斜上下後方向へテーパ状に溝幅を拡開する係合溝１２を形成したノズル付き押下げヘッドＣと、
上記開口部１１内へ嵌合させた嵌合板１４の左右両面から突設した軸部１５を上記係合溝１２前端部内へ回動可能に、かつ抜出し不能に摩擦係合させると共に、嵌合板１４の後端部から係合板１６を垂設して、該係合板下端を上記頂板７の後部上面へ、上記軸部１５を中心とする嵌合板１４の後上方への回動で後方へ離脱可能に係合させたロック部材Ｄとを有し、
上記ロック部材Ｄは、係合板１６下端が、頂板７の後部上面へ係合してノズル付き押下げヘッドＣの押下げを不能にする係合位置と、上記軸部１５を中心とする嵌合板１４の後上方への回動で頂板７の後部上面から後方へ離脱してノズル付き押下げヘッドＣの押下げを可能にする非係合位置とを有する。
【０００７】
第２の手段として、筒上面を頂板７で閉塞させた筒下端部を、上記基部材Ｂの外周壁６外面へ着脱自在に嵌合させると共に、頂板１７の外周部下面から垂設した内筒１８下部内面を上記係合位置の係合板１６後面へ上方へ離脱可能に係合させたキャップＥを有する。
【０００８】
【発明の実施の形態】
以下、図面を参照しながら本発明に係るエアゾール式噴出器について説明する。
Ａはエアゾール缶で、周壁１上端部から肩部を介して環状突部２を起立すると共に、頂壁３中央部を貫設させて上方付勢状態で噴出用ステム４を起立する。
【０００９】
Ｂは基部材で、環状突部２の内外周面へ緊密に嵌合させた内周壁５と外周壁６との間の上面を頂板７で閉塞すると共に、外周壁６下端から外向きフランジを介して垂下した台筒８下端を周壁１の肩部へ係合させる。
【００１０】
Ｃはノズル付き押下げヘッドで、噴出用ステム４上端へ嵌合させたステム嵌合筒９をヘッド頂壁中央部から垂設すると共に、ヘッド頂壁外周からヘッド外周壁１０を垂設する。ヘッド外周壁後部に、ヘッド頂壁下面から外周壁下端面に達する開口部１１を形成して、該開口部の上部の左右両側面に前面閉塞かつ後面開口の係合溝１２を形成する。この係合溝１２はその前端部を円形溝部１３とすると共に、該円形溝部の後部を円形溝部の直径よりも小さく開口１３ａして、該開口の上下両端が斜上下後方向へテーパ状に溝幅を拡開する。
【００１１】
Ｄはロック部材で、開口部１１の上部の左右両側面間へ嵌合板１４を嵌合させ、かつ該嵌合板の左右両面から軸部１５を突設して、該軸部を円形溝部１３内へ摩擦係合により回動可能に嵌合させる。一方、開口部１１から後方突出する嵌合板１４部分後端から係合板１６を垂下して、該係合板下端を頂板７の後部上面へ係合させる。この係合板１６は軸部１５を中心とする後上方への回動力で頂板７から後方へ離脱可能である。
なお、係合板１６は、図２に示すように、下部の左右幅を上部よりも大に形成してもよく、或いは図４に示すように上下両部を同一幅に形成してもよい。
【００１２】
Ｅはキャップで、筒上面を頂板１７で閉塞させた筒下端部を、外周壁６外面へ着脱自在に嵌合させている。
このキャップＥは、図５に示すように、頂板１７の外周下面から内筒１８を垂下して、その下部内面を係合板１６後面へ係合させてもよい。
【００１３】
以下、本実施形態の作用について説明する。
図２及び図４はロック部材Ｄの組付け前の状態を示すもので、これをノズル付き押下げヘッドＣへ組付けるには、軸部１５を係合溝１２の後面開口へ係合させて前方へ押し込めばよく、すると軸部１５は円形溝部１３の開口１３ａを上下に弾性変形により拡開させて円形溝部１３内へ嵌合する。
【００１４】
液体等を噴出させるにはキャップＥを外した後、図１に示す係合板１６の係合位置から係合板１６を後方へ引けばよく、すると係合板１６下端が頂板７上面から後方へ離脱して後上方へ回動する。通常は同図に破線で示す非係合位置まで回動させる。なお、係合板１６は、軸部１５が円形溝部１３内へ摩擦係合しているため、任意の回動位置に保持される。
【００１５】
この係合板１６の非係合位置において、係合板下端は頂板７から離脱しているため、ノズル付き押下げヘッドＣの押下げが可能であり、この押下げにより液体等がノズルから噴出する。
噴出後、ノズル付き押下げヘッドＣを押下げ不能とするためには、上記非係合位置から係合板１６を押し下げてその下端を頂板７の後部上面へ係合させればよい。
【００１６】
図５に示すエアゾール式噴出器においても、係合板１６を係合位置又は非係合位置に位置させることにより、ノズル付き押下げヘッドＣの押下げを可能又は不能にすることができること上記同様であるが、図５に示す実施形態では、係合板１６が破線で示す非係合位置に位置する状態でキャップＥを嵌合させると、内筒１８の後部下端が係合板１６上面に当接することによりこれを押し下げて係合板下端を頂板７上面へ係合させる点で上記と異なる。
【００１７】
【発明の効果】
本発明は、ノズル付き押下げヘッドの押下げを不能にするロック部材を有しているので、子供の悪戯等による本来の目的以外の噴出防止を図ることができる。
また、ロック部材は板状体からなる簡素な構造であり、従って、材料削減が可能になる。
【００１８】
さらに、ロック部材の組付けは、軸部を係合溝内へ係合させるだけであり、このため組立性が向上する。
さらに、ロック部材の組付けに際して他部品が不要であり、従って、部品点数の低減化が可能になる。
【００１９】
さらに、本発明は、非係合位置に位置する係合板上面に係合して、これを係合位置まで回動させ得るキャップ内筒を有するので、仮に係合板を係合位置にセットすることを忘れた場合でもキャップ嵌合により、ノズル付き押下げヘッドの押下げが不能になるため、噴出防止がより完全なものとなる。
【図面の簡単な説明】
【図１】  本発明に係るエアゾール式噴出器を示すもので、ロック部材の係合位置を示す断面図。
【図２】  同じく、ロック部材の組付け前の状態を示す斜視図。
【図３】  同じく、開口部の右側面の係合溝を左から見た略示図。
【図４】  同じく、係合板の変形例に係るロック部材の組付け前の状態を示す斜視図。
【図５】  エアゾール式噴出器の他の実施形態を示すもので、ロック部材の係合位置を示す断面図。
【符合の説明】
１  周壁
２  環状突部
３  頂壁
４  噴出用ステム
５  内周壁
６  外周壁
７  頂板
９  ステム嵌合筒
１０  ステム外周壁
１１  開口部
１２  係合溝
１３  円形溝部
１３ａ  開口
１４  嵌合板
１５  軸部
１６  係合板
１７  頂板
１８  内筒
Ａ  エアゾール缶
Ｂ  基部材
Ｃ  ノズル付き押下げヘッド
Ｄ  ロック部材
Ｅ  キャップ
【図１】
0003856945.tif 000002
【図２】
0003856945.tif 000003
【図３】
0003856945.tif 000004
【図４】
0003856945.tif 000005
【図５】
0003856945.tif 000006